(57)【特許請求の範囲】
【請求項１】
外部に音声出力する音声出力部と、電動工具用バッテリが装着されるバッテリ装着部と、該音声出力部および該バッテリ装着部を支持するケースと、を有するバッテリ式音声出力器であって、
前記ケースは、
前記音声出力部を収容する第１内部空間を設定する第１内壁構造部と、
前記第１内部空間とは別の第２内部空間を設定する第２内壁構造部と、を有し、
前記第２内壁構造部は、前記音声出力部の音声出力を共鳴させる共鳴器として作用し、
前記第１内壁構造部および前記第２内壁構造部は、前記第１内部空間を前記第２内部空間の上側で隣接させるように前記ケースに設けられている、バッテリ式音声出力器。
【請求項２】
外部に音声出力する音声出力部と、電動工具用バッテリが装着されるバッテリ装着部と、該音声出力部および該バッテリ装着部を支持するケースと、を有するバッテリ式音声出力器であって、
前記ケースは、
前記音声出力部を収容する第１内部空間を設定する第１内壁構造部と、
前記第１内部空間とは別の第２内部空間を設定する第２内壁構造部と、を有し、
前記第２内壁構造部は、前記音声出力部の音声出力を共鳴させる共鳴器として作用し、
前記第１内部空間と前記第２内部空間とは隔壁部により分けられており、
前記隔壁部は、前記音声出力部の音声出力を受けて振動可能に形成される弾性隔壁部を有する、バッテリ式音声出力器。
【請求項３】
外部に音声出力する音声出力部と、電動工具用バッテリが装着されるバッテリ装着部と、該音声出力部および該バッテリ装着部を支持するケースと、を有するバッテリ式音声出力器であって、
前記ケースは、
前記音声出力部を収容する第１内部空間を設定する第１内壁構造部と、
前記第１内部空間とは別の第２内部空間を設定する第２内壁構造部と、を有し、
前記第２内壁構造部は、前記音声出力部の音声出力を共鳴させる共鳴器として作用し、
前記ケースは、前記バッテリ装着部が内装される第３内部空間を設定する第３内壁構造部を有し、
前記第３内壁構造部は、前記第３内部空間を外部に通じさせる開口部と、該開口部を開閉可能に閉塞する開閉カバーとを有し、
前記開口部の端縁と前記開閉カバーの端縁との間には、該開閉カバーが閉じられた場合に互いの該端縁同士を密着させるシール構造が設けられている、バッテリ式音声出力器。
【請求項４】
外部に音声出力する音声出力部と、電動工具用バッテリが装着されるバッテリ装着部と、該音声出力部および該バッテリ装着部を支持するケースと、を有するバッテリ式音声出力器であって、
前記ケースは、
前記音声出力部を収容する第１内部空間を設定する第１内壁構造部と、
前記第１内部空間とは別の第２内部空間を設定する第２内壁構造部と、を有し、
前記第２内壁構造部は、前記音声出力部の音声出力を共鳴させる共鳴器として作用し、
前記第２内部空間は、小物を収容可能に設定されている、バッテリ式音声出力器。
【請求項５】
請求項４に記載のバッテリ式音声出力器において、
前記第２内壁構造部は、前記第２内部空間を開け閉めする開閉扉を有し、
前記開閉扉には、前記第２内部空間と外気とを通気可能とする第１貫通部が設けられている、バッテリ式音声出力器。
【請求項６】
請求項５に記載のバッテリ式音声出力器において、
前記開閉扉には、施錠可能な構成が設けられている、バッテリ式音声出力器。
【請求項７】
請求項５または６に記載のバッテリ式音声出力器において、
前記開閉扉には、前記第２内部空間から外部にコードを引出し可能とする第２貫通部が設けられている、バッテリ式音声出力器。
【請求項８】
外部に音声出力する音声出力部と、電動工具用バッテリが装着されるバッテリ装着部と、該音声出力部および該バッテリ装着部を支持するケースと、を有するバッテリ式音声出力器であって、
前記ケースは、
前記音声出力部を収容する第１内部空間を設定する第１内壁構造部と、
前記第１内部空間とは別の第２内部空間を設定する第２内壁構造部と、を有し、
前記第２内壁構造部は、前記音声出力部の音声出力を共鳴させる共鳴器として作用し、
前記ケースには、無線通信を介して携帯型電気機器の操作を可能とする操作入力部が設けられている、バッテリ式音声出力器。
【請求項９】
外部に音声出力する音声出力部と、着脱可能なバッテリが装着されるバッテリ装着部と、該音声出力部および該バッテリ装着部を支持するケースと、を有するバッテリ式音声出力器であって、
前記ケースは、
前記音声出力部を収容する第１内部空間を設定する第１内壁構造部と、
前記第１内部空間とは別の第２内部空間を設定する第２内壁構造部と、を有し、
前記第２内壁構造部は、前記音声出力部の音声出力を共鳴させる共鳴器として作用し、
前記第１内壁構造部および前記第２内壁構造部は、前記第１内部空間を前記第２内部空間の上側で隣接させるように前記ケースに設けられている、バッテリ式音声出力器。
【請求項１０】
外部に音声出力する音声出力部と、着脱可能なバッテリが装着されるバッテリ装着部と、該音声出力部および該バッテリ装着部を支持するケースと、を有するバッテリ式音声出力器であって、
前記ケースは、
前記音声出力部を収容する第１内部空間を設定する第１内壁構造部と、
前記第１内部空間とは別の第２内部空間を設定する第２内壁構造部と、を有し、
前記第２内壁構造部は、前記音声出力部の音声出力を共鳴させる共鳴器として作用し、
前記ケースは、前記バッテリ装着部が内装される第３内部空間を設定する第３内壁構造部を有し、
前記第３内壁構造部は、前記第３内部空間を外部に通じさせる開口部と、該開口部を開閉可能に閉塞する開閉カバーとを有し、
前記開口部の端縁と前記開閉カバーの端縁との間には、該開閉カバーが閉じられた場合に互いの該端縁同士を密着させるシール構造が設けられている、バッテリ式音声出力器。
【請求項１１】
外部に音声出力する音声出力部と、着脱可能なバッテリが装着されるバッテリ装着部と、該音声出力部および該バッテリ装着部を支持するケースと、を有するバッテリ式音声出力器であって、
前記ケースは、
前記音声出力部を収容する第１内部空間を設定する第１内壁構造部と、
前記第１内部空間とは別の第２内部空間を設定する第２内壁構造部と、を有し、
前記第２内壁構造部は、前記音声出力部の音声出力を共鳴させる共鳴器として作用し、
前記第２内部空間は、小物を収容可能に設定されている、バッテリ式音声出力器。
【発明の詳細な説明】
【技術分野】
【０００１】
本発明は、電動工具用バッテリを電源として音声出力可能なバッテリ式音声出力器に関する。
【背景技術】
【０００２】
住宅などの内装工事現場では、音楽を楽しめるようにラジオなどが聞けるバッテリ式音声出力器が置かれつつある（例えば、特許文献１参照）。このようなバッテリ式音声出力器は電動工具用バッテリを電源としている。この電動工具用バッテリは、内装工事に利用される電動工具の電源として共用されている充電式のバッテリである。このようなバッテリ式音声出力器には、スマートフォンやタブレットや携帯音楽プレーヤや携帯ゲーム機のような携帯型電気機器のスピーカとして構成されるものがある。
【先行技術文献】
【特許文献】
【０００３】
【特許文献１】特開２０１３−１２９８４号公報
【発明の概要】
【発明が解決しようとする課題】
【０００４】
ところで、上記したスピーカにあっては、粉塵が舞い上がり易い内装工事現場で利用されている。このため、このようなスピーカにあっては、防塵防水効果を高めるための密閉のケース構造が採用されている。しかしながら、密閉のケース構造では、防塵防水効果を高めることはできるものの、出力された音声周波数のうち低音周波数がカットされてしまい易い。このため、聞く者にとっては音質が悪いと指摘を受けることがある。
【０００５】
本発明は、このような事情に鑑みなされたものであって、本発明が解決しようとする課題は、電動工具用バッテリを電源として音声出力可能なバッテリ式音声出力器において、防塵防水効果を高めながらも、高音質な音響で音声出力可能とすることにある。
【課題を解決するための手段】
【０００６】
上記した課題を解決するにあたって、本発明に係るバッテリ式音声出力器は次の手段をとる。すなわち、本発明の第１の発明に係るバッテリ式音声出力器は、外部に音声出力する音声出力部と、電動工具用バッテリが装着されるバッテリ装着部と、該音声出力部および該バッテリ装着部を支持するケースと、を有するバッテリ式音声出力器であって、前記ケースは、前記音声出力部を収容する第１内部空間を設定する第１内壁構造部と、前記第１内部空間とは別の第２内部空間を設定する第２内壁構造部と、を有し、前記第２内壁構造部は、前記音声出力部の音声出力を共鳴させる共鳴器として作用する、という構成である。
【０００７】
この第１の発明に係るバッテリ式音声出力器によれば、ケースは第１内部空間と第１内部空間とは別の第２内部空間とを有する。ここで、第１内部空間は音声出力部を収容し、第２内部空間は音声出力部の音声出力を共鳴させる共鳴器として作用する。これによって、第２内部空間は、第１内部空間にて出力される音声を第２内部空間で（ヘルムホルツ）共鳴させることができ、出力される音声の低音域を増幅させて音響効果を高めることができる。また、音響効果を高めるにあたっては、音声出力部を収容する第１内部空間とは相違する第２内部空間で共鳴させることによる。これによって、たとえ第２内部空間が共鳴させるために外部と通じて外部から粉塵や水が侵入するような場合でも、直ぐに第１内部空間に粉塵や水が侵入するものとはならず、防塵防水効果を高めることができる。したがって、第１の発明に係るバッテリ式音声出力器によれば、防塵防水効果を高めながらも、高音質な音響で音声出力可能となる。
【０００８】
本発明の第２の発明に係るバッテリ式音声出力器は、前記第１の発明に係るバッテリ式音声出力器において、前記第１内壁構造部および前記第２内壁構造部は、前記第１内部空間を前記第２内部空間の上側で隣接させるように前記ケースに設けられている、という構成である。この第２の発明に係るバッテリ式音声出力器によれば、第１内部空間を第２内部空間の上側で隣接させるので、たとえ第２内部空間が外部と通じた空間で外部から粉塵や水が侵入するような場合でも、重力作用により第２内部空間から第１内部空間に粉塵や水が侵入しまうのを抑えることができる。したがって、第２の発明に係るバッテリ式音声出力器によれば、より防塵防水効果を高めることができる。
【０００９】
本発明の第３の発明に係るバッテリ式音声出力器は、前記第１または前記第２の発明に係るバッテリ式音声出力器において、前記第１内部空間と前記第２内部空間とは隔壁部により分けられており、前記隔壁部は、前記音声出力部の音声出力を受けて振動可能に形成される弾性隔壁部を有する、という構成である。この第３の発明に係るバッテリ式音声出力器によれば、弾性隔壁部は、音声出力部の音声出力を受けて振動可能に形成されているので、弾性隔壁部を振動させることにより、第１内部空間にて出力される音声を第２内部空間でヘルムホルツ共鳴させ易くなる。これによって、出力される音声の低音域を増幅させるにあたっての音響効果を効率良く高めることができる。
【００１０】
本発明の第４の発明に係るバッテリ式音声出力器は、前記第１から前記第３のいずれかの発明に係るバッテリ式音声出力器において、前記ケースは、前記バッテリ装着部が内装される第３内部空間を設定する第３内壁構造部を有し、前記第３内壁構造部は、前記第３内部空間を外部に通じさせる開口部と、該開口部を開閉可能に閉塞する開閉カバーとを有し、前記開口部の端縁と前記開閉カバーの端縁との間には、該開閉カバーが閉じられた場合に互いの該端縁同士を密着させるシール構造が設けられている、という構成である。
【００１１】
この第４の発明に係るバッテリ式音声出力器によれば、開口部の端縁と開閉カバーの端縁との間に設けられたシール構造により、開閉カバーが閉じられた場合に互いの端縁同士を密着させることができる。これによって、開閉カバーが閉じられた場合に第３内部空間を密閉するので、この第３内部空間内の防塵防水性は高められることとなる。ここで、第３内部空間には、充電式の電動工具用バッテリが着脱されるバッテリ装着部が内装されているので、バッテリ装着部やバッテリ装着部に装着された電動工具用バッテリを塵埃や水から守ることができ、バッテリ式音声出力器や充電式の電動工具用バッテリの故障を抑えることができる。
【００１２】
本発明の第５の発明に係るバッテリ式音声出力器は、前記第１から前記第４のいずれかの発明に係るバッテリ式音声出力器において、前記第２内部空間は小物を収容可能に設定されている、という構成である。この第５の発明に係るバッテリ式音声出力器によれば、第２内部空間には小物を収容可能に形成されているので、小物として例えばスマートフォンやタブレットや携帯音楽プレーヤや携帯ゲーム機のような携帯型電気機器を収容しておくことができる。これによって、このような携帯型電気機器の保管も行うことができて便利である。
【００１３】
本発明の第６の発明に係るバッテリ式音声出力器は、前記第５の発明に係るバッテリ式音声出力器において、前記第２内壁構造部は、前記第２内部空間を外部に向けて開け閉めする開閉扉を有し、前記開閉扉には、前記第２内部空間と外気とを通気可能とする第１貫通部が設けられている、という構成である。この第６の発明に係るバッテリ式音声出力器によれば、開閉扉によって第２内部空間の内部の防塵防水性を高めたり、開閉扉によって第２内部空間に収容した小物を落とさないようにしたりすることができる。ここで、開閉扉には、第２内部空間と外気とを通気可能とする第１貫通部が設けられているので、この第２内部空間にてヘルムホルツ共鳴させ易くなる。これによって、防塵防水性を高めながら小物を保管可能にし、さらに第２内部空間のヘルムホルツ共鳴を確保できて高音質な音響で音声出力可能となる。
【００１４】
本発明の第７の発明に係るバッテリ式音声出力器は、前記第６の発明に係るバッテリ式音声出力器において、前記開閉扉には、施錠可能な構成が設けられている、という構成である。この第７の発明に係るバッテリ式音声出力器によれば、開閉扉には施錠可能な構成が設けられているので、開閉扉の施錠により第２内部空間に保管しておく小物の盗難防止を図ることができる。
【００１５】
本発明の第８の発明に係るバッテリ式音声出力器は、前記第６または前記第７の発明に係るバッテリ式音声出力器において、前記開閉扉には、前記第２内部空間から外部にコードを引出し可能とする第２貫通部が設けられている、という構成である。この第８の発明に係るバッテリ式音声出力器によれば、開閉扉には第２内部空間から外部にコードを引出し可能とする第２貫通部が設けられているので、例えば外部電源に接続された電気コードを第２内部空間の内部に引き込むことができる。これによって、第２内部空間に保管しておく携帯型電気機器の充電などをすることもできて便利となる。
【００１６】
本発明の第９の発明に係るバッテリ式音声出力器は、前記第１から前記第８のいずれかの発明に係るバッテリ式音声出力器において、前記ケースには、無線通信を介して携帯型電気機器の操作を可能とする操作入力部が設けられている、という構成である。この第９の発明に係るバッテリ式音声出力器によれば、ケースには無線通信を介して携帯型電気機器の操作を可能とする操作入力部が設けられているので、この操作入力部から入力することにより、例えば第２内部空間に保管しておく小物としての携帯型電気機器を操作することができる。これによって、第２内部空間に保管したままで携帯型電気機器（小物）を操作することができて便利となる。
【図面の簡単な説明】
【００１７】
【図１】スピーカを示す前面斜視図である。
【図２】スピーカを示す後面斜視図である。
【図３】スピーカを示す前面図である。
【図４】前面枠が取り外されたスピーカを示す前面斜視図である。
【図５】図２における(V)-(V)断面矢視を示す断面斜視図である。
【図６】図１における(VI)-(VI)断面矢視を示す断面図である。
【図７】スピーカを示す上面図である。
【図８】携帯型電気機器が置かれたスピーカを示す後面斜視図である。
【図９】開閉扉を開けた図２のスピーカを示す後面斜視図である。
【図１０】開閉カバーを開けハンドルを立てたスピーカを示す左側面図である。
【図１１】図１０のスピーカを後側から視た後面図である。
【発明を実施するための形態】
【００１８】
以下、本発明に係るバッテリ式音声出力器を実施するための実施の形態について図１〜図１１を参照しながら説明する。なお、図１は、スピーカ１０を示す前面斜視図である。図２は、スピーカ１０を示す後面斜視図である。図３は、スピーカ１０を示す前面図である。図４は、前面枠２０が取り外されたスピーカ１０を示す前面斜視図である。図５は、図２における(V)-(V)断面矢視を示す断面斜視図である。図６は、図１における(VI)-(VI)断面矢視を示す断面図である。図７は、スピーカ１０を示す上面図である。図８は、携帯型電気機器Ｔが置かれたスピーカ１０を示す後面斜視図である。図９は、開閉扉８０を開けた図２のスピーカ１０を示す後面斜視図である。図１０は、開閉カバー７０を開けると共にハンドル９０を立てたスピーカ１０を示す左側面図である。図１１は、図１０のスピーカ１０を後側から視た後面図である。スピーカ１０を説明するにあたっては、図面に記載の「前後上下左右」の方向を用いて説明する。なお、前方はスピーカ１０の音声出力方向に基づいて規定しており、上方はハンドル９０の持上げ方向に基づいて規定している。
【００１９】
スピーカ１０は、本発明に係るバッテリ式音声出力器に相当する。このスピーカ１０は、電動工具用バッテリ（例えば図示符号Ｂ）を電源として音声出力するスピーカである。スピーカ１０は、概略、外装をなすケース１２を有して構成される。このケース１２は、本発明に係る第１内壁構造部および第３内壁構造部を兼ねて構成されている。ケース１２は、略立方体形状に形成されている。符号１３はスピーカ１０の前面を示しており、符号１４はスピーカ１０の後面を示しており、符号１５はスピーカ１０の上面を示しており、符号１６はスピーカ１０の下面を示している。また、符号１７はスピーカ１０の右側面を示しており、符号１８はスピーカ１０の左側面を示している。ケース１２は、概略、ケース本体４０と、前面枠２０と、開閉カバー７０とを有して構成される。つまり、前後方向で３つの外装部材が並べられて組み付けられることにより形成されている。
【００２０】
ケース本体４０は、ケース１２における上面１５、下面１６、右側面１７、左側面１８を形成する。つまり、ケース本体４０は、前後が開口された形状に形成されている。ケース本体４０前面の前面開口部４０１には、ケース１２における前面１３を設定する前面枠２０が螺子締結にて組み付けられている。この前面枠２０により、ケース本体４０の前面開口部４０１は閉塞されている。また、ケース本体４０後面の後面開口部４０２には、ケース１２における後面１４を設定する開閉カバー７０がヒンジ結合にて開閉可能に組み付けられている。この開閉カバー７０により、ケース本体４０の後面開口部４０２は閉塞されている。
【００２１】
前面枠２０は、上下左右を囲うように張り出された枠形状を有して形成される。詳しく言えば、前面枠２０の上部２０１は、ケース１２のうち最も上側に張りだされるように形成されている。また、前面枠２０の下部２０２は、ケース１２のうち最も下側に張りだされるように形成されている。前面枠２０の上部２０１および下部２０２は、エラストマ２９１，２９２にて外装されている。また、この前面枠２０の中央箇所には、音声出力装置２１が組み付けられる。音声出力装置２１は外部に音声を出力する。このため、この前面枠２０の中央箇所は、音が通過し易いネット２９３が張られている。なお、次に説明する音声出力装置２１および操作パネル装置２５が組み付けられる前面枠２０は、ケース本体４０に対して四隅を螺子部材２８により螺子止めされている。
【００２２】
音声出力装置２１は、スピーカ本体２２とツイータスピーカ部２３と副制御部２４とを有する。スピーカ本体２２は、前面枠２０に一体に組みつけられている。このスピーカ本体２２には、音声出力のためのマグネットやボイスコイル等が内蔵され、ネット２９３を通して前方へ音声を出力する。このスピーカ本体２２は、本発明に係る音声出力部に相当する。ツイータスピーカ部２３は、主に高音域の音声を出力するスピーカとなっている。ちなみにスピーカ本体２２は、ツイータスピーカ部２３に対して、主に中低域の音声を出力するスピーカとなっている。副制御部２４は、スピーカ本体２２およびツイータスピーカ部２３の出力を制御する機能も有する。具体的には、副制御部２４の出力を制御する機能によれば、スピーカ本体２２およびツイータスピーカ部２３の音声出力に関する各種のコントロールをすることができる。
【００２３】
前面枠２０の上部には、操作パネル装置２５が組み付けられている。操作パネル装置２５は、音声出力装置２１の上方に組み付けられている。操作パネル装置２５は、操作パネル部２６と表示部２７とを有する。操作パネル部２６は、操作ボタン２６１を８つ並べて構成される。操作ボタン２６１は、押下されることにより、後に説明する主制御部４２に操作入力信号を送信する。なお、８つ設けられる操作ボタン２６１の各操作機能としては、例えばBluetooth（登録商標）のペアリングのオンオフを操作するボタンであったり、ペアリングされた機器の再生停止に関する操作であったり、出力ボリュームの大小を操作するボタンであったりする。操作パネル部２６は、本発明に係る操作入力部に相当する。操作パネル部２６は、結線された主制御部４２を介して携帯型電気機器（図示符号Ｔ）を操作可能とする。なお、この携帯型電気機器Ｔとしては、スマートフォンをはじめとしてタブレットや携帯音楽プレーヤや携帯ゲーム機など、音楽ファイルを再生可能であり携帯性を有する電気機器のすべてが含まれる。
【００２４】
ここで前面枠２０には、操作パネル部２６の下側に表示部２７が組み付けられている。表示部２７には、緑赤青の３色で発色する３種類のＬＥＤ（light emitting diode）が内蔵されている。具体的には、表示部２７は、左側に緑色ＬＥＤ２７１が配置され、中央に赤色ＬＥＤ２７２が配置され、右側に青色ＬＥＤ２７３が配置されている。これらのＬＥＤ２７１，２７２，２７３のそれぞれは、結線される主制御部４２の制御を受けて点灯あるいは点滅する。具体的には、左側の緑色ＬＥＤ２７１が点灯している場合には、ＡＵＸ端子となる外部入力端子（第２コネクタ部９４１）に入力機器が接続されて、音声入力が可能となっていることを表している。また、右側の青色ＬＥＤ２７３が点灯している場合には、Bluetooth（登録商標）にてペアリングが完了して音声入力が可能となっていることを表している。なお、右側の青色ＬＥＤ２７３が１秒ごとに点滅している場合には、Bluetooth（登録商標）にてペアリング中であることを表している。また、右側の青色ＬＥＤ２７３が２秒ごとに点滅している場合には、Bluetooth（登録商標）にてペアリング待機中であることを表している。
【００２５】
また、中央の赤色ＬＥＤ２７２が点滅している場合には、バッテリ装着部３０に装着された電動工具用バッテリＢの電池残容量が５パーセント以下であることを表している。なお、この中央の赤色ＬＥＤ２７２は、上記した操作ボタン２６１の各操作に反応して点滅するように構成されている。具体的には、操作ボタン２６１にて出力ボリュームを大きくしたり小さくしたりする操作を行うと、中央の赤色ＬＥＤ２７２は点滅表示をするようになっている。また、出力ボリュームが最大値あるいは最小値に達していることにより、更なるボリューム操作が不能となっている場合には、中央の赤色ＬＥＤ２７２は点灯表示をするようになっている。出力ボリュームが最大値あるいは最小値に達していることを報知する点灯表示は、ボリュームボタンが離された信号検出に応じて消灯してもよいし、ボリュームボタンが離された信号検出の一定時間経過後に消灯してもよい。なお、この表示部２７に関しては、数値や文字などを表示可能とする構成であってもよく、例えば携帯型電気機器Ｔで再生される音楽ファイルなどの再生情報に依拠する数値や文字が表示される構成であってもよい。
【００２６】
ケース本体４０には、図６に示すように、ケース１２の内部を前後に分けられる内部隔壁４１が設けられている。この内部隔壁４１は、ケース１２の内部の前後略中間位置で、上下左右平面で延ばされてケース１２の内部を前後に分けている。内部隔壁４１の前側は、音声出力装置２１を収容する第１内部空間の一部としての前部空間Ｓ１が設定されることとなっている。なお、本発明に係る第１内部空間としては、後に説明する後部空間Ｓ２も含まれる。内部隔壁４１の前面側には、主制御部４２が設けられている。主制御部４２は、上記した操作パネル部２６からの操作入力に基づいて携帯型電気機器Ｔを操作制御したり、音声出力装置２１にて音声出力するための音声出力データを携帯型電気機器Ｔから受け取ったりする、無線通信機としての機能を有する。ちなみに、この無線通信機としての機能は、一般に低消費電力の近距離無線通信の規格に合致する機能であり、例えば「Bluetooth（登録商標）」や「ZigBee（登録商標）」等の近距離無線通信の規格に合致する機能である。
【００２７】
内部隔壁４１の後面側には、バッテリ装着部３０が設けられている。バッテリ装着部３０は、２種類の電動工具用バッテリが装着可能となるように構成される。すなわち、バッテリ装着部３０は、左側に第１バッテリ装着部３１が設けられており、右側に第２バッテリ装着部３５（図１１参照）が設けられている。つまり、内部隔壁４１の後側は、バッテリ装着部３０を収容する後部空間Ｓ２を設定する。この内部隔壁４１の後側は、バッテリ装着部３０を内装する第３内部空間の一部としての後部空間Ｓ２が設定されることとなっている。なお、本発明に係る第３内部空間としては、上記した前部空間Ｓ１も含まれる。
【００２８】
第１バッテリ装着部３１は、大きめの電動工具用バッテリＢ（出力電圧１８Ｖまたは１４．４Ｖ）がスライド装着可能となるように設定されている。これに対し、第２バッテリ装着部３５は、小さめの電動工具用バッテリ（不図示、出力電圧１０．８Ｖ）がスライド装着可能となるように設定されている。なお、大きめの電動工具用バッテリＢと、小さめの電動工具用バッテリとは、主に内蔵されるセル数が多いか少ないかのより決められる。このため、第１バッテリ装着部３１と第２バッテリ装着部３５とは、着脱される電動工具用バッテリの大きさは相違するものの、ともにスライドしてバッテリ装着部３１または３５のいずれかに装着される構造となっている。なお、第１バッテリ装着部３１或いは第２バッテリ装着部３５のいずれかに装着された電動工具用バッテリの電圧は、大きめの電動工具用バッテリＢは降圧し、小さめの電動工具用バッテリは昇圧することにより、所定の電圧（１２Ｖ）に調整され、上記した音声出力装置２１の音声出力に利用されるものとなっている。
【００２９】
すなわち、第１バッテリ装着部３１と第２バッテリ装着部３５とは、概略、ターミナル３２，３６と、スライドガイド部３３，３７と、凹部により形成される雌フック３４，３８とを有する。ターミナル３２，３６は、接続される電動工具用バッテリの端子と接続可能な端子３２１，３６１を有して構成される。スライドガイド部３３，３７は、電動工具用バッテリのスライドガイド部とスライド方向で嵌合する構造が設けられている。雌フック３４，３８には、電動工具用バッテリがスライド装着完了した場合に、凸部により形成される電動工具用バッテリの雄フックが嵌合される部分である。
【００３０】
なお、このバッテリ装着部３０にあっては、左右の第１バッテリ装着部３１および第２バッテリ装着部３５のいずれか一方のみに電動工具用バッテリを装着することができる。なぜならば、一方の電動工具用バッテリ（例えば図１１の符号Ｂ）を装着させた状態で、他方の電動工具用バッテリ（不図示）を装着させようとすると、一方の電動工具用バッテリ（例えば図１１の符号Ｂ）のケース角部（例えば図１１の符号Ｂ１）が他方の電動工具用バッテリ（不図示）のケース角部に当たることとなり、双方の同時装着は不可なものとしているからである。ちなみに、これらの第１および第３バッテリ装着部３１，３５のいずれであっても、電動工具用バッテリを上から下へスライドさせることによりバッテリ装着部３１，３５に装着される。また、雄フックの嵌合を解除して下から上へ電動工具用バッテリをスライドさせることにより、バッテリ装着部３１，３５から電動工具用バッテリは取り外される。電源として使用されて放電した電動工具用バッテリは、専用の充電器にて充電される。
【００３１】
また、左側の第１バッテリ装着部３１に装着される電動工具用バッテリＢは、電動工具の工具本体に対してスライドさせることにより装着あるいは取り外しされるバッテリとして構成される。この電動工具用バッテリＢは、工具本体に装着された場合には電動工具の電源として使用される。ちなみに、この電動工具用バッテリＢが装着される電動工具としては、ドライバ、レンチ、ドリル、レシプロソー、チェーンソー、バンドソー、ジグソー、マルノコ、グラインダ、タッカ等の電力駆動の電動工具が挙げられる。ちなみに、電動工具用バッテリＢとしては、例えば２０１２年４月発行マキタ総合カタログにおける『ＢＬ１８３０』の製品が挙げられる。
【００３２】
開閉カバー７０は、バッテリ装着部３０を収容する後部空間Ｓ２を外部に向けて開け閉めするカバーとなっている。このように開閉カバー７０を開けて後部空間Ｓ２を外部と通じさせると、後部空間Ｓ２に収容されるバッテリ装着部３０に対して電動工具用バッテリを着脱させることができる。開閉カバー７０は、図６に示すように、ヒンジピン７９を介して下側縁７１がケース本体４０に対してヒンジ結合されている。このヒンジピン７９はケース本体４０に保持されている。この開閉カバー７０は、図１０に示すように、開けた場合にバッテリ装着部３０に装着された電動工具用バッテリＢが取外し可能となるような大きさを有して形成されている。具体的には、開閉カバー７０の形状および大きさは、開閉カバー７０を開けた場合にバッテリ装着部３０に装着された電動工具用バッテリＢの上面および後面が完全に露出されるように、さらに開けた場合にバッテリ装着部３０に装着された電動工具用バッテリＢ右側面と左側面を把持できるように、設定されている。
【００３３】
開閉カバー７０は、ケース１２の後面１４の略全部をなす後面部７３１と、上面１５の一部をなす上面部７３２と、右側面１７の一部をなす右側面部７３３と、左側面１８の一部をなす左側面部７３４とを有する。ここで、上面部７３２、右側面部７３３および左側面部７３４は、バッテリ装着部３０から電動工具用バッテリを取り外すための、フック嵌合解除操作およびスライドして着脱させる際のバッテリ掴み範囲が確保されて、形状および大きさが設定されている。つまり、開閉カバー７０を開けると、バッテリ装着部３０に装着された電動工具用バッテリの雄フック操作部と、バッテリ装着部３０に装着された電動工具用バッテリの掴むためのサイド面とが、外部に露出されるようになっている。
【００３４】
開閉カバー７０の後面部７３１の下部には、図９に示すように、後に説明する共鳴ケース５０の後端の開口部６３を外部に露出させる開口部７４が設けられている。このため、この開口部７４の左右両側は支持縁部７５として設定されている。支持縁部７５は、右側面部７３３および左側面部７３４に連なるように前後方向に張り出されている。支持縁部７５は、ヒンジピン７９を介して結合される開閉カバー７０の下側縁７１と、開閉カバー７０の各面部７３１〜７３４を連接している。また、開閉カバー７０の上面部７３２の前部には、ラッチ機構７６が設けられている。
【００３５】
ラッチ機構７６は、図６に示すように、開閉カバー７０を閉じ位置でケース本体４０に固定する。ラッチ機構７６は、概略、支持凸部７６１と、トグル支持部７６３と、ラッチ本体７７とを有する。支持凸部７６１は、開閉カバー７０の上面部７３２から上方に突き出されて設定されている。トグル支持部７６３の一端縁は、支持凸部７６１に相対的に回転可能に軸結合されている。また、トグル支持部７６３の他端縁は、ラッチ本体７７を相対的に回転可能に軸結合している。ラッチ本体７７は、トグル支持部７６３の軸結合側に手掛け部７７１が設けられており、その反対側に係止フック部７７３が設けられている。係止フック部７７３は、ケース本体４０の上面の本体フック部４５に係止可能に設定されている。
【００３６】
手掛け部７７１に手を掛けてラッチ本体７７を変位させることにより、トグル支持部７６３は支持凸部７６１に対して回転変位する。この回転変位するトグル支持部７６３の位置に応じて、ラッチ本体７７の係止フック部７７３は、本体フック部４５に対して係止したり係止解除したりする。ここで、ラッチ本体７７には、上面部７７５が設けられている。この上面部７７５は、本体フック部４５に係止フック部７７３が係止している場合に、水平方向に延びるように設定されている。この上面部７７５には、上面部７７５を覆うように留めラバー７８が取り付けられている。留めラバー７８は、弾性を有するゴム樹脂を材料にして、ギザギザな表面加工がされて成形されている。このギザギザな表面加工は、留めラバー７８の弾性も加わり、高い摩擦力（ホールド力）が生じるようになっている。つまり、図８に示すように、留めラバー７８の上でズレることなく安定して携帯型電気機器Ｔを置いておくことができる。
【００３７】
なお、ケース本体４０の端縁４３と開閉カバー７０の端縁７２との間には、開閉カバー７０を閉じた場合に互いの端縁４３，７２同士を密着させるシール構造が設けられている。なお、このケース本体４０の端縁４３は、ケース本体４０の後面開口部４０２として設定される。このシール構造としては、パッキンのシール性を利用して密着させる構造が設定されている。具体的には、ケース本体４０の端縁４３には図５に示すように端縁４３に沿って凹溝部４３１が設けられ、この凹溝部４３１にはゴムパッキン４３２が一部嵌め込まれて保持されている。このゴムパッキン４３２は、閉じ状態の開閉カバー７０の端縁７２と密着するようになっている。
【００３８】
ところで、開閉カバー７０を開閉させる場合の回動中心は、ケース本体４０にヒンジ結合させるためのヒンジピン７９となっている。ヒンジピン７９は、このケース１２において下端近くであり且つ後端近くでケース本体４０に支持されている。ここで閉じている開閉カバー７０の重心位置は、ヒンジピン７９よりも上側であり且つ前側である箇所に設定されている。このため、閉じている場合の開閉カバー７０の自重は、開閉カバー７０を前方に回動させるように作用しており、開閉カバー７０の閉じ状態を保持するものとなっている。なお、ヒンジピン７９近くとなるケース本体４０の左右両側部分は、前面枠２０の下部のエラストマ２９２と同様のエラストマ６９にて外装されている。
【００３９】
図４等に示すように、上記した前部空間Ｓ１および後部空間Ｓ２の下側には共鳴ケース５０が設けられている。共鳴ケース５０の内部空間は共鳴空間Ｓ３として設定されている。この共鳴空間Ｓ３は、前部空間Ｓ１と隔てられて設定されると共に、後部空間Ｓ２とも隔てられて設定される。具体的には、共鳴ケース５０は、第１箱形部材５１と第２箱形部材６１とを合体させることにより形成されている。言い換えれば、第１箱形部材５１と第２箱形部材６１とを合体させた内部空間が共鳴空間Ｓ３として設定される。第１箱形部材５１は、前部空間Ｓ１と共鳴空間Ｓ３とを隔てる略箱形をなして形成される。具体的には、第１箱形部材５１は、上壁部５１１と、前壁部５１２と、右壁部５１３と、左壁部５１４と、下壁部５１５とを有した有底角筒形をなす。
【００４０】
ここで、第１箱形部材５１の後部は、第２箱形部材６１と内部同士が連なるように開口された形状を有している。また、下壁部５１５は、ケース本体４０の内底面４４に面接触されている。このため、上壁部５１１と前壁部５１２と右壁部５１３と左壁部５１４とは、前部空間Ｓ１（第１内部空間）と共鳴空間Ｓ３とを隔てる本発明に係る（第１）隔壁部として構成されるものとなっている。つまり、共鳴空間Ｓ３は、本発明に係る第２内部空間に相当する。また、第１箱形部材５１および第２箱形部材６１は、本発明に係る第２内壁構造部に相当する。これら前部空間Ｓ１と共鳴空間Ｓ３とは、第１箱形部材５１（共鳴ケース５０）により隔てられるものの互いに隣り合って設定される空間となっている。
【００４１】
これに対し、第２箱形部材６１は、後部空間Ｓ２と共鳴空間Ｓ３とを隔てる略角筒形をなして形成される。具体的には、第２箱形部材６１は、図１１に示すように、上壁部６１１と、右壁部６１３と、左壁部６１４と、下壁部６１５とを有した角筒形をなす。ここで、第２箱形部材６１の前部は、第１箱形部材５１と内部同士が連なるように開口された形状を有している。また、第２箱形部材６１の後部は、外部と連通可能な開口形状を有して形成されている。また、下壁部５１５は、ケース本体４０の内底面４４に面接触されている。このため、上壁部６１１と右壁部６１３と左壁部６１４とは、後部空間Ｓ２（第３内部空間）と共鳴空間Ｓ３とを隔てる本発明に係る（第２）隔壁部として構成されるものとなっている。
【００４２】
これら第１箱形部材５１と第２箱形部材６１とは、図４に示すように螺子部材６０により連結されている。連結された第１箱形部材５１と第２箱形部材６１とは、滑らかに連なって、有底角筒形をなしている。つまり、互いの上壁部５１１，６１１同士は滑らかに連なっており、互いの右壁部５１３，６１３同士も滑らかに連なっており、互いの左壁部５１４，６１４同士も滑らかに連なっており、互いの下壁部５１５，６１５同士も滑らかに連なっている。なお、第２箱形部材６１の下壁部６１５は、図５に示すように更に下側に回り込む二重下壁部６５と連接されている。
【００４３】
第１箱形部材５１の上壁部５１１には円形開口部５３が設定されている。この円形開口部５３には、この開口を塞ぐようにドロンコーン５５が取り付けられている。このドロンコーン５５は本発明に係る弾性隔壁部に相当する。このドロンコーン５５は、パッシブスピーカとも称されるものであり、スピーカ本体２２の音声出力を受けて振動可能に形成されている。このドロンコーン５５は、音声出力に応じて共振し易い弾性を有する材料により成形されている。具体的には、ドロンコーン５５は、ゴム樹脂を材料にして成形されている。ドロンコーン５５は、円形平板部５５１と、円形平板部５５１の外周に沿って一体に成形される湾曲部５５２とを有する。ちなみに、湾曲部５５２の湾曲形状は、円形平板部５５１が共振し易いように弾性支持するように作用している。
【００４４】
共鳴ケース５０の後端は、外部と連通する開口部６３として設定される。共鳴ケース５０は、図５等に示すように、内部の共鳴空間Ｓ３に小物を収容できるように形成されている。この小物としては、上記したスマートフォンやタブレットや携帯音楽プレーヤや携帯ゲーム機に代表される携帯型電気機器Ｔが挙げられる。なお、この共鳴空間Ｓ３は、表示画面が６インチのスマートフォンまで収容可能な大きさを有している。このような携帯型電気機器Ｔは、共鳴ケース５０（第２箱形部材６１）の開口部６３を通じて内部の共鳴空間Ｓ３に出し入れ可能となっている。この開口部６３には、この共鳴空間Ｓ３を外部に向けて開け閉めする開閉扉８０が設けられている。また、図示符号６７は、収容した携帯型電気機器Ｔに衝撃を加わり難くする緩衝マットである。
【００４５】
開閉扉８０は、図９に示すように、ヒンジピン７９を介して開閉カバー７０に対して開閉可能に支持される扉体８１を有する。この扉体８１の下側縁８２は、ヒンジピン７９を介して回動可能に支持されている。つまり、ヒンジピン７９は、開閉カバー７０をケース本体４０に対して開閉可能に支持していると共に、開閉扉８０の扉体８１も開閉カバー７０に対して開閉可能に支持している。なお、このヒンジピン７９は、上記したようにケース１２の下端且つ後端の近くでケース本体４０に支持されている。扉体８１の中央箇所には、扉体８１の厚み方向で貫通される開口部８３が設けられている。開口部８３は、共鳴ケース５０の後端の開口部６３と一致する大きさ及び形状が選択されて形成されている。このため、図２に示すように、開閉扉８０が閉じた状態で開閉カバー７０が閉じていても、共鳴ケース５０の後端の開口部６３は、その形状のまま外部に連通されたものとなっている。
【００４６】
開口部８３は、本発明に係る第１貫通部に相当する。つまり、共鳴空間Ｓ３は、これらの開口部６３，８３を通じて外気とを通気可能となっている。ちなみに、扉体８１の開口部８３にはメッシュ部材８５が取り付けられている。このメッシュ部材８５は、適宜に通気可能な網目状に成形されている。このため、このメッシュ部材８５は、外気を通気可能であるものの、人間の指などは入らないものとなっている。また、開口部８３の左隣の範囲には、コード引出し部８４が設けられている。なお、図示される符号Ｃは、携帯型電気機器Ｔを充電する場合などに接続されるコードである。また、図示符号Ｃ１は本体側接続コネクタであり、図示符号Ｃ２は携帯型電気機器Ｔ側接続コネクタである。このコード引出し部８４は、接続コードＣを共鳴空間Ｓ３から外部に引き出すために設けられている。コード引出し部８４は、扉体８１に設けられる第１切欠き部８４１と、開閉カバー７０に設けられる第２切欠き部８４２とを有する。第１切欠き部８４１と第２切欠き部８４２とは、互いに対面配置される切欠き部である。
【００４７】
第１切欠き部８４１は、扉体８１の開口部８３の左隣を左側縁まで切り欠くようにして形成される。この第１切欠き部８４１の切欠き深さは、左側に向かうにしたがって深くなるように形成されている。この第１切欠き部８４１は、本発明に係る第２貫通部に相当する。これに対し、開閉カバー７０に設けられる第２切欠き部８４２は、開閉カバー７０の左側の支持縁部７５を切り欠くようにして形成される。この第２切欠き部８４２の切欠き深さは、左側に向かうにしたがって浅くなるように形成されている。なお、図示符号８８は、開閉扉８０を閉じ状態で施錠する鍵穴である。この鍵穴８８によって鍵をかけると、鍵を開けない限り開閉扉８０の閉じ状態は保持されて勝手に開けることができなくなる。なお、図示符号８６は、開閉扉８０を開ける際に開閉扉８０の上端縁に指を掛け易くするための凹部である。また、図示符号８７は、ハンドル９０を握る際に、ハンドル９０に手を掛け易くするための凹部である。
【００４８】
ケース１２の上面１５にはハンドル９０が取り付けられている。このハンドル９０は、このスピーカ１０を持ち運ぶ場合に手で握られる部分として設定される。ハンドル９０は、ハンドル本体９１が、ケース本体４０の上部に軸結合部材９２を介して回動可能に結合されている。なお、ハンドル９０を使わない場合には、図２に示すように、ケース１２の略立方体形状に合わせて収められている。また、ケース１２には、３つのコネクタ部９３１，９４１，９５１が設けられている。第１コネクタ部９３１は、ＵＳＢ（Universal Serial Bus）にて構成されている。この第１コネクタ部９３１に接続すると、バッテリ装着部３０に装着された電動工具用バッテリから電力が供給される。この電力の供給により、第１コネクタ部９３１に接続された携帯型電気機器Ｔは充電が可能となっている。なお、第２コネクタ部９４１は、ＡＵＸ端子となる外部入力端子にて構成されている。この第２コネクタ部９４１にＡＵＸ端子を介して有線接続すると、無線通信手段を搭載しない携帯型電気機器にあっても音声出力データを主制御部４２に送ることができる。また、第３コネクタ部９５１は、ヘッドフォンジャックとなる外部入力端子にて構成されている。第３コネクタ部９５１にヘッドフォンを接続すると、ユーザはスピーカ出力によらずヘッドフォンのみで音声出力を楽しむことができる。
【００４９】
これら第１〜第３コネクタ部９３１，９４１，９５１は、ケース１２の左側面１８にて前後方向に並んで設けられている。これら第１〜第３コネクタ部９３１，９４１，９５１のそれぞれには、カバー部９３２，９４２，９５２が設けられている。これらカバー部９３２，９４２，９５２は、これら第１〜第３コネクタ部９３１，９４１，９５１を使用しない場合に閉じて、これら第１〜第３コネクタ部９３１，９４１，９５１を保護することができる。なお、これらカバー部９３２，９４２，９５２は、下側縁に設定されるヒンジ部９３３，９４３，９５３を介してケース本体４０に一体に接続されている。これらヒンジ部９３３，９４３，９５３は、ヒンジとして機能するように樹脂を薄肉に成形して形成されている。なお、図示符号９３５は、カバー部９３２，９４２，９５２を開ける際にカバー部９３２，９４２，９５２の上端縁に指を掛け易くするための凹部である。
【００５０】
上記した実施の形態のスピーカ１０によれば、次のような作用効果を奏することができる。すなわち上記したスピーカ１０によれば、ケース１２は前部空間Ｓ１とは別の共鳴空間Ｓ３とを有する。ここで、前部空間Ｓ１はスピーカ本体２２を収容し、共鳴空間Ｓ３はスピーカ本体２２の音声出力を共鳴させる共鳴器として作用する。これによって、共鳴空間Ｓ３は、前部空間Ｓ１にて出力される音声を共鳴空間Ｓ３でヘルムホルツ共鳴させることができ、出力される音声の低音域を増幅させて音響効果を高めることができる。また、音響効果を高めるにあたっては、スピーカ本体２２を収容する前部空間Ｓ１とは相違する共鳴空間Ｓ３で共鳴させることによる。これによって、たとえ共鳴空間Ｓ３が共鳴させるために外部と通じて外部から粉塵や水が侵入するような場合でも、前部空間Ｓ１に粉塵や水が直接侵入しまうのを抑えることができる。
【００５１】
また、上記したスピーカ１０によれば、前部空間Ｓ１は共鳴空間Ｓ３の上側で隣接させるので、たとえ共鳴空間Ｓ３が外部と通じた空間で外部から粉塵や水が侵入するような場合でも、重力作用により共鳴空間Ｓ３から前部空間Ｓ１に粉塵や水が侵入しまうのを抑えることができ、より防塵防水効果を高めることができる。より具体的に言えば、上記したスピーカ１０によれば、ケース１２と共鳴ケース５０とにより、前部空間Ｓ１と前部空間Ｓ１と隔てられる共鳴空間Ｓ３とを有する。これによって、スピーカ本体２２を収容する前部空間Ｓ１を密閉状態にすることができて、この前部空間Ｓ１の防塵防水効果を高めることができる。他方、共鳴空間Ｓ３は、前部空間Ｓ１と隔てられて隣り合う関係にあるので、前部空間Ｓ１にて出力される音声を共鳴空間Ｓ３でヘルムホルツ共鳴させることができる。これによって、出力される音声の低音域を増幅させることができて音響効果を高めることができる。
【００５２】
また、上記したスピーカ１０によれば、ドロンコーン５５は、スピーカ本体２２の音声出力を受けて振動可能に形成されているので、ドロンコーン５５を振動させることにより、前部空間Ｓ１にて出力される音声を共鳴空間Ｓ３でヘルムホルツ共鳴させ易くなる。これによって、出力される音声の低音域を増幅させるにあたっての音響効果を効率良く高めることができる。つまり、上記したスピーカ１０によれば、共鳴空間Ｓ３はバスレフ機構に模した作用効果を奏することができる。ちなみに、上記した実施の形態のスピーカ１０によれば、１００Ｈｚの周波数において３ｄＢの増幅させる効果を奏することができた。さらに、可聴周波数よりも低い不可聴の周波数の音域を減衰させる効果を奏することができた。このように上記したスピーカ１０によれば、防塵防水効果を高めながらも、高音質な音響で音声出力可能となる。
【００５３】
また、上記したスピーカ１０によれば、ケース本体４０の端縁４３と開閉カバー７０の端縁７２との間には、開閉カバー７０を閉じた場合に互いの端縁４３，７２同士を密着させるゴムパッキン４３２が設けられている。これによって、開閉カバー７０が閉じられた場合にケース１２の内部の前部空間Ｓ１および後部空間Ｓ２を密閉するので、このケース１２の内部の前部空間Ｓ１および後部空間Ｓ２の防塵防水性は高められることとなる。ここで、ケース１２の内部の前部空間Ｓ１および後部空間Ｓ２には、電動工具用バッテリＢが着脱されるバッテリ装着部３０が内装されているので、バッテリ装着部３０やバッテリ装着部３０に装着された電動工具用バッテリＢを塵埃や水から守ることができ、スピーカ１０自体や電動工具用バッテリＢの故障を抑えることができる。
【００５４】
また、上記したスピーカ１０によれば、共鳴空間Ｓ３は携帯型電気機器Ｔを収容可能に設定されているので、例えば６インチのスマートフォンのような大きめの携帯型電気機器も収容しておくことができる。これによって、このような携帯型電気機器Ｔの保管も行うことができて便利である。また、上記したスピーカ１０によれば、開閉扉８０により共鳴空間Ｓ３の内部の防塵防水性を高めることができる。ここで、開閉扉８０には、共鳴空間Ｓ３と外気とを通気可能とする開口部８３が設けられているので、よりバスレフ機構に近づけて共鳴空間Ｓ３にてヘルムホルツ共鳴させ易くなる。これによって、防塵防水性を高めながら携帯型電気機器Ｔを保管可能にし、さらに共鳴空間Ｓ３のヘルムホルツ共鳴を確保できて高音質な音響で音声出力可能となる。
【００５５】
また、上記したスピーカ１０によれば、開閉扉８０には施錠可能な鍵穴８８が設けられているので、開閉扉８０の施錠により共鳴空間Ｓ３に保管しておく携帯型電気機器Ｔの盗難防止を図ることができる。また、上記したスピーカ１０によれば、開閉扉８０には共鳴空間Ｓ３から外部にコードＣを引出し可能とするコード引出し部８４が設けられているので、第１コネクタ部９３１に接続されたコードＣを共鳴空間Ｓ３の内部に引き込むことができる。これによって、共鳴空間Ｓ３に保管しておく携帯型電気機器Ｔの充電などをすることもできて便利となる。また、上記したスピーカ１０によれば、ケース１２には無線通信を介して携帯型電気機器Ｔの操作を可能とする操作パネル部２６が設けられているので、この操作パネル部２６から入力することにより、例えば共鳴空間Ｓ３に保管しておく携帯型電気機器Ｔを操作することができる。これによって、共鳴空間Ｓ３に保管したままで携帯型電気機器Ｔを操作することができて便利となる。
【００５６】
なお、本発明に係るバッテリ式音声出力器にあっては、上記した実施の形態に限定されるものではなく、種々の変更を適宜に加えることができる。例えば、ケース１２の構造としては、上記した略立方体形状に限定されることなく、適宜の形状を選択することができる。この際、上記したケース１２は、３分割のケース本体４０と前面枠２０と開閉カバー７０との構成に限定されることなく、適宜の分割構成を選択することができる。また、共鳴空間Ｓ３にあっては、前部空間Ｓ１の上方の位置に隣接して設けられるものであってもよいし、前部空間Ｓ１内部の上下中間位置に設けられるものであってもよい。このような構造においても、エラストマ２９２，６９と接する地上面よりも開閉扉８０は上方にあるため、共鳴空間Ｓ３内部の防塵防水性は高められたものとなっている。また、本発明に係るバッテリ式音声出力器にあっては、共鳴ケース５０に関してはドロンコーン５５を設けることなく構成されるものであってもよい。
【００５７】
すなわち、第１内部空間と第２内部空間とを隔てるドロンコーン５５を排除して、第１内部空間と第２内部空間と隣り合って通じる関係とするものであってもよい。つまり、第１内部空間と第２内部空間とは機能的に分けられる空間としてケース１２に設けられるものであれば、第１内部空間と第２内部空間とが一部通じる関係でケース１２に設けられるものであってもよい。このように構成される場合であっても、第１内部空間と第２内部空間とは別の空間で設定されることとなるので、たとえ第２内部空間が共鳴させるために外部と通じて外部から粉塵や水が侵入するような場合でも、直ぐに第１内部空間に粉塵や水が侵入するものとはならない。また、本発明に係る第２内部空間を構成するにあたっては、適宜にラビリンス構造が設けられるようにしてもよい。例えば、上記した実施の形態の共鳴空間Ｓ３の通気箇所は、開閉扉８０が存する後端に設定されている。ここで共鳴空間Ｓ３から前部空間Ｓ１に通じるにあたっては、共鳴空間Ｓ３の前方かつ上方にて共鳴空間Ｓ３から前部空間Ｓ１に通じるようになっている。つまり、外部から第２内部空間を経て第１内部空間に通じるにあたっては、単純に真っ直ぐで通じるようになっておらず、ラビリンス構造を経て通じるようになっている。これによって、第２内部空間から第１内部空間へと粉塵や水が侵入し難くすることができる。更に言えば、ドロンコーン５５を廃した状態で、開閉扉８０と第１内部空間との間に適宜の第２内部空間の形状を設定し共鳴空間とするものであってもよい。したがって、このように構成されていれば本発明が解決しようとする課題を解決することができる。なお、上記したスピーカ１０には、共鳴空間Ｓ３を外部に向けて開け閉めする開閉扉８０が設けられている。このため、共鳴空間Ｓ３には、直ぐに粉塵や水が侵入するようなことは抑えられるようになっている。
【００５８】
また、共鳴ケース５０の形状としても適宜の形状を選択することができる。つまり、上記した実施の形態では、第１内部空間と第２内部空間とを分ける構成が第２箱形部材６１によるものとなっていた。また、ドロンコーン５５は、第１内部空間と第２内部空間とを隔てるように作用するものとなっていた。しかしながら、第１内部空間（空間Ｓ１，Ｓ２）と第２内部空間（共鳴空間Ｓ３）とを分ける構成や隔てる構成としては、このような形態に限定されるものではなく。つまり、第１内部空間と第２内部空間との互いを機能的な意味を含めて分けたり隔てたりするものであれば、形状および材質に関して適宜な構成を選択することができる。
【００５９】
また、上記した実施の形態では、バッテリ装着部３０を設けるゆえに、前部空間Ｓ１と後部空間Ｓ２とは一部連通されるものとなっていた。しかしながら、前部空間Ｓ１と後部空間Ｓ２との間に適宜の隔壁部を設け、互いの空間同士が隔てられるように構成してもよい。すなわち、本発明に係る第１内部空間は少なくとも音声出力部を収容する空間であり、本発明に係る第３内部空間は少なくともバッテリ装着部が内装される空間であれば、互いの空間には適宜の構造が加えられるものであってもよいし、そのほかの空間と連なるように構成されるものであってもよい。さらに言えば、上記した本発明に係るバッテリ式音声出力器にあっては、電動工具用バッテリのみならず家庭用のＡＣ電源から電力が供給されるようにしてもよい。
【００６０】
また、本発明に係るバッテリ式音声出力器は、音声出力に関してスポットが当てられた電気製品として特定するものとした。しかしながら、本発明に係るバッテリ式音声出力器は、これが応用された電気製品を含むものである。例えば、本発明としては、上記したスピーカ１０を含んで構成されるラジオや電話として構成されるものであってもよい。このように本発明を特定するのならば次のように特定することができる。
すなわち、本発明は、『前記第１から前記第９のいずれかの発明に係るバッテリ式音声出力器を含み、無線通信により音声を送受信する送受信部を有する、ラジオ』として把握することができる上、『前記第１から前記第９のいずれかの発明に係るバッテリ式音声出力器を含み、無線通信により音声を送受信する送受信部を有する、電話』として把握することができる。
【符号の説明】
【００６１】
１０  スピーカ（バッテリ式音声出力器）
１２  ケース（第１内壁構造部、第３内壁構造部）
１３  前面
１４  後面
１５  上面
１６  下面
１７  右側面
１８  左側面
２０  前面枠
２０１  上部
２０２  下部
２１  音声出力装置
２２  スピーカ本体（音声出力部）
２３  ツイータスピーカ部
２４  副制御部
２５  操作パネル装置
２６  操作パネル部（操作入力部）
２６１  操作ボタン
２７  表示部
２８  螺子部材
２９１，２９２  エラストマ
２９３  ネット
３０  バッテリ装着部
３１  第１バッテリ装着部
３５  第２バッテリ装着部
３２，３６  ターミナル
３２１，３６１  端子
３３，３７  スライドガイド部
３４，３８  雌フック
４０  ケース本体
４０１  前面開口部
４０２  後面開口部
４１  内部隔壁
４２  主制御部
４３  端縁
４３１  凹溝部
４３２  ゴムパッキン
４３  端縁
４４  内底面
４５  本体フック部
５０  共鳴ケース
５１  第１箱形部材（第２内壁構造部）
５１１  上壁部（隔壁部）
５１２  前壁部（隔壁部）
５１３  右壁部（隔壁部）
５１４  左壁部（隔壁部）
５１５  下壁部
５３  円形開口部
５５  ドロンコーン（弾性隔壁部）
５５１  円形平板部
５５２  湾曲部
６０  螺子部材
６１  第２箱形部材（第２内壁構造部）
６１１  上壁部
６１３  右壁部
６１４  左壁部
６１５  下壁部
６３  開口部
６５  二重下壁部
６７  緩衝マット
６９  エラストマ
７０  開閉カバー
７１  下側縁
７２  端縁
７３１  後面部
７３２  上面部
７３３  右側面部
７３４  左側面部
７４  開口部
７５  支持縁部
７６  ラッチ機構
７６１  支持凸部
７６３  トグル支持部
７７  ラッチ本体
７７１  手掛け部
７７３  係止フック部
７７５  上面部
７８  留めラバー
７９  ヒンジピン
８０  開閉扉
８１  扉体
８２  下側縁
８３  開口部（第１貫通部）
８４  コード引出し部（第２貫通部）
８５  メッシュ部材
８８  鍵穴
９０  ハンドル
９１  ハンドル本体
９２  軸結合部材
９３１，９４１，９５１  コネクタ部
９３２，９４２，９５２  カバー部
９３３，９４３，９５３  ヒンジ部
Ｂ  電動工具用バッテリ
Ｃ  接続コード
Ｓ１  前部空間（第１内部空間、第３内部空間）
Ｓ２  後部空間（第１内部空間、第３内部空間）
Ｓ３  共鳴空間（第２内部空間）
Ｔ  携帯型電気機器（例えばスマートフォン、携帯音楽プレーヤ）
【図１】
0006621642.tif 000002
【図２】
0006621642.tif 000003
【図３】
0006621642.tif 000004
【図４】
0006621642.tif 000005
【図５】
0006621642.tif 000006
【図６】
0006621642.tif 000007
【図７】
0006621642.tif 000008
【図８】
0006621642.tif 000009
【図９】
0006621642.tif 000010
【図１０】
0006621642.tif 000011
【図１１】
0006621642.tif 000012